(57)【要約】【課題】映像データを移し替える作業等を行わなくても映像データを記録させて見ることができ、映像データを移し替える作業等を行う煩わしさを極力回避することができる電子機器及びプログラムを提供する。【解決手段】ドライブレコーダ１は、映像データを連続的に記録する連続記録と、映像データを所定のイベントが発生する毎に断続的に記録する断続記録と、を同一の記録領域を共用して行う。ドライブレコーダ１は、記録領域における連続記録に用いられる記録可能領域の容量に応じて、記録領域に対して断続記録を行った映像データの少なくとも一部を消去して記録可能領域の容量を確保する記録制御手段を有する。【選択図】図１
2020053995.tif 000002
【特許請求の範囲】
【請求項１】
連続記録による映像データの記録とイベント記録による映像データの記録とを同一の記録領域に行う電子機器であって、
前記記録領域が前記イベント記録の映像データを記録した領域で一杯となった場合、前記記録領域に記録された前記イベント記録の映像データの少なくとも一部を消去する機能を有する
電子機器。
【請求項２】
車両に設けられ、
前記車両の現在位置とあらかじめ設定したビューポイントとの距離が所定距離以内になった場合に、前記イベント記録を行う機能を有する
請求項１に記載の電子機器。
【請求項３】
連続記録とイベント記録とを同一の記録領域に行う電子機器であって、
前記記録領域に記録された前記イベント記録の映像データの容量が、前記連続記録の映像データを記録することができない容量となった場合、前記記録された前記イベント記録の映像データの少なくとも一部を消去する機能を有する
電子機器。
【請求項４】
撮影した映像の映像データを所定の記録領域に記録する電子機器であって、
イベント録画により前記記録領域に映像データを記録する機能と、。
前記記録領域が前記イベント記録の映像データを記録した領域で一杯となった場合、前記記録領域に記録された前記イベント記録の映像データの少なくとも一部を消去する機能と、
を有する電子機器。
【請求項５】
請求項１から４のいずれか１項に記載の電子機器の機能をコンピュータに実現させるためのプログラム。
【発明の詳細な説明】
【技術分野】
【０００１】
本発明は、映像データを記録する電子機器及びプログラムに関する。
【背景技術】
【０００２】
従来、映像データを常時記録及びイベント記録するドライブレコーダ等の電子機器が知られている。常時記録は、アクセサリスイッチがオンしている間など、電子機器へ外部から電源が供給されている場合に通常切れ目なく映像データを記録するものである。アクセサリスイッチは、車載バッテリから車両に備わるオーディオ等のアクセサリ類に対する電力の供給と電力の供給の遮断とを切り替えるスイッチである。イベント記録は、電子機器に備わっている加速度センサーにおける検出値が所定の閾値を超えた場合等の、車両の運行中の危険状態や事故等のイベントの発生を契機として映像データを記録するものである。
【０００３】
このような電子機器としては、記録方法の相違により、主に２つの方式が存在している。
【０００４】
この２つの方式のうち一方の方式は、常時記録のための記録領域と、イベント記録のための記録領域と、を個別に管理して記録するものである（例えば、特許文献１）。この方式によれば、常時記録のための記録領域に記録可能なファイル数と、イベント記録のための記録領域に記録可能なファイル数と、を予め設定しておく。そして、各記録領域において、設定したファイル数に達した場合には、最も古いファイルに上書きして常時記録又はイベント記録を行う。この方式では、イベント記録の頻度が極端に少ない場合、記録領域を効率よく使用できないという課題を有する。
【０００５】
上記の２つの方式のうち他方の方式は、常時記録のための記録領域と、イベント記録のための記録領域と、を一体に管理して記録するものである。この方式によれば、同一の記録領域に対して、映像データを常時記録すると共に、イベントが発生する毎に映像データをイベント記録していく。この際、常時記録した映像データと、イベント記録した映像データと、で記録領域が一杯になった場合、イベント記録済みの映像データに対して上書きすることなく、常時記録済みの映像データのうち最も古い映像データに上書きして、新たに常時記録及びイベント記録を行う。そして、イベント記録による映像データで記録領域が一杯になった場合には、記録を停止する。この方式によれば、イベント記録の頻度が少ない場合であっても、記録容量を効率よく使用することができる。
【先行技術文献】
【特許文献】
【０００６】
【特許文献１】特開２０１０−７４２９１号公報
【発明の概要】
【発明が解決しようとする課題】
【０００７】
しかしながら、常時記録のための記録領域と、イベント記録のための記録領域と、を一体に管理して記録する方式の従来の電子機器においては、イベント記録した映像データで記録領域が一杯になった場合に記録を停止するので、記録領域がなくなったことに気付かない場合には映像データを記録できないために映像を見ることができず、また、再び記録させるためには、例えば、記録媒体を電子機器から取り出して、パーソナルコンピュータ等のハードディスクに移動する等、手動で他の媒体に映像データを移し替えないといけないため面倒であるという課題を有する。
【０００８】
本発明の目的は、映像データを移し替える作業等を行わなくても映像データを記録させて見ることができ、映像データを移し替える作業等を行う煩わしさを極力回避することができる電子機器及びプログラムを提供することである。
【課題を解決するための手段】
【０００９】
（１）映像データを連続的に記録する連続記録と、前記映像データを所定のイベントが発生する毎に断続的に記録する断続記録と、を同一の記録領域を共用して行う電子機器であって、前記記録領域における前記連続記録に用いられる記録可能領域の容量に応じて、前記記録領域に対して前記断続記録を行った前記映像データの少なくとも一部を消去して前記記録可能領域の容量を確保する記録制御手段を有することを特徴とする。
【００１０】
このようにすることで、映像データを移し替える作業等を行わなくても映像データを記録させて見ることができ、映像データを移し替える作業等を行う煩わしさを極力回避することができる。映像データを連続的に記録する連続記録としては、所定時間に亘って切れ目なく映像データを記録するとよく、例えば車両のアクセサリスイッチをＯＮしている間など電子機器に対して車両などの外部から電源が供給されているときに映像データを常時記録するとよい。このようにすることで、所定時間の映像データを漏れなく記録させて見ることができる。所定のイベントの発生としては、車両の状態や車両外の状況に応じて起こる出来事とするとよく、例えば車両の加速度の値が閾値を超えた場合、現在位置と予め設定した眺めの良いビューポイントとの距離が所定距離以内になった場合、現在位置と予め設定した交差点や事故多発地帯等の注意を促す場所との距離が所定距離以内になった場合とするとよい。また、車両の状態や車両外の状況は、測位システムを用いた測位により求めた車両の現在位置と交差点や事故多発地帯等の注意を促す場所との距離、測位システムを用いた測位により求めた車両の現在位置とビューポイントとの距離、又は、電子機器に設けられたセンサーにおける検出値と閾値との比較結果により判断するとよく、例えばＧＰＳ（Global Positioning System）を用いた測位により求めた車両の現在位置と交差点や事故多発地帯等の注意を促す場所との距離が所定距離以内か否か、ＧＰＳを用いた測位により求めた車両の現在位置とビューポイントとの距離が所定距離以内か否か、又は、加速度センサーにおける加速度の検出値が閾値以上であるか否かなどにより判断するとよい。このようにすることで、測位システムを用いた測位により求めた車両の現在位置、又はセンサーの検出値に応じて、映像データを連続記録とは別に断続記録させて見ることができる。
【００１１】
映像データを所定のイベントが発生する毎に断続的に記録する断続記録としては、イベントが発生した際の映像データを、連続記録の記録時間よりも短い時間且つイベント発生時刻を含む時間記録するとよく、例えば加速度センサーにより検出した加速度の検出値が閾値を超えた場合の映像データを、連続記録の記録時間よりも短い時間且つ加速度の検出値が閾値を超えた時刻を含む時間記録するとよい。このようにすることで、イベントが発生した際の映像データを、連続記録した映像データとは別に効率よく見ることができる。記録領域としては、所定のファイルシステムでフォーマットされたメモリカードの所定の領域とするとよく、例えばＦＡＴ(File Allocation Table)形式のファイルシステムでフォーマットされたメモリカードにおける、映像データを記録する領域であるデータ領域とするとよい。このようにすることで、連続記録により作成した連続記録ファイルの映像データと、断続記録により作成した断続記録ファイルの映像データと、をメモリカードの所定の領域に記録させてファイルとして管理することができる。同一の記録領域の共用としては、同一の記録領域に映像データを連続記録することも断続記録することもできるようにするとよく、例えば所定のファイルシステムでフォーマットされた記録媒体のデータ領域の各クラスタに、映像データを連続記録することも断続記録することもできるようにするとよい。このようにすることで、記録領域における、映像データを断続記録させる領域
と、映像データを連続記録させる領域と、の割り合いをその記録させる頻度に応じて変化させることで、映像データを移し替える作業等を行わない場合において記録領域を効率よく使用させることができる。
【００１２】
記録領域における連続記録に用いられる記録可能領域の容量としては、記録領域における連続記録に用いられる最小管理領域により定まる量とするとよく、例えばファイルシステムでフォーマットした記録媒体のデータ領域に映像データを記録する場合において、連続記録ファイルの映像データを記録するデータ領域のクラスタ数により定まる量とするとよい。このようにすることで、記録領域に記録する映像データの管理の一環として連続記録のための記録可能領域の容量を把握することができる。記録領域に対して断続記録を行った映像データの少なくとも一部の消去としては、断続記録済みの映像データのうち、より過去に記録された映像データから順に選択した少なくとも一部の映像データとするとよい。また、少なくとも一部の消去としては、記録領域に対して断続記録を行った映像データの全部又は一部を消去するようにするとよい。このようにすることで、見る可能性の高い最近に断続記録した映像データを優先的に残しておくことができる。
【００１３】
記録可能領域の容量の確保としては、断続記録済みの映像データに上書きすることなく、連続記録済みの映像データに上書きして新たに連続記録及び断続記録する際に、連続記録のための記録可能領域の容量がその後の断続記録により直ぐに無くなってしまうことのない程度の容量を確保するとよく、例えばファイルシステムを用いて管理されるデータ領域において、過去の所定時間において断続記録した頻度に応じたファイル数の断続記録ファイルを消去して記録可能領域の容量を確保するとよい。このようにすることで、断続記録された映像データを消去する処理を頻繁に発生させないようにすることができる。
【００１４】
（２）前記記録制御手段は、前記連続記録及び前記断続記録により前記記録領域の容量が一杯になった場合に、前記記録領域に対して前記連続記録を行った前記映像データに上書きして新たに前記連続記録及び前記断続記録を行う一方、前記記録可能領域の容量が所定値以下にならないように前記消去を行うことを特徴とする。
【００１５】
このようにすることで、連続記録に用いられる記録可能領域の容量を常に確保することができ、映像データを漏れなく連続記録することができる。連続記録及び断続記録により記録領域の容量が一杯になった場合としては、記録領域に記録された映像データに上書きしないと連続記録及び断続記録することができない状態になった場合とするとよい。このようにすることで、記録領域に記録された映像データに上書きしないと連続記録及び断続記録することができない状態まで、映像データを連続記録及び断続記録させることができ、記録領域を効率よく使用させることができる。記録可能領域に対して連続記録を行った映像データに上書きして連続記録及び断続記録することとしては、連続記録済みの映像データに上書きして映像データを連続記録すると共に、イベントが発生した際に、連続記録済みの映像データに上書きして映像データを断続記録するとよい。このようにすることで、映像データを移し替える作業等を行わない場合であっても映像データを連続記録及び断続記録させることができる。記録可能領域の容量としては、記録領域における連続記録に用いられる最小管理領域により定まる量とするとよく、例えばファイルシステムでフォーマットした記録媒体のデータ領域に映像データを記録する場合において、連続記録ファイルの映像データを記録するデータ領域のクラスタ数と、クラスタの容量と、を乗算して求めた量とするとよい。このようにすることで、記録領域に記録する映像データの管理の一環として連続記録のための記録可能領域の容量を把握することができる。記録可能領域の容量が所定値以下にならないように消去する処理としては、容量不足により連続記録することができない状態を回避することが可能な容量を常に確保する処理とするとよく、例えばファイルシステムでフォーマットした記録領域に映像データを記録する際において、断続記録済みの断続記録ファイルを１０ファイル消去して確保した容量とするとよい。この
ようにすることで、容量不足により連続記録できない状態を回避することができるので、映像データを途切れさせることなく連続記録させて見ることができる。
【００１６】
（３）前記記録制御手段は、前記連続記録及び前記断続記録により前記記録領域の容量が一杯になった場合に、前記記録領域に対して前記連続記録を行った前記映像データに上書きして新たに前記連続記録及び前記断続記録を行う一方、前記記録可能領域の容量が無くなった場合に前記消去を行うことを特徴とする。
【００１７】
このようにすることで、連続記録に用いられる記録可能領域の容量が無くなった場合に、連続記録に用いられる記録可能領域の容量を確保することができる。連続記録及び断続記録により記録領域の容量が一杯になった場合としては、記録領域に記録された映像データに上書きしないと連続記録及び断続記録することができない状態になった場合とするとよい。このようにすることで、記録領域に記録された映像データに上書きしないと連続記録及び断続記録することができない状態まで、映像データを連続記録及び断続記録させることができ、記録領域を効率よく使用させることができる。記録領域に対して連続記録を行った映像データに上書きして連続記録及び断続記録する処理としては、連続記録済みの映像データに上書きして映像データを連続記録すると共に、イベントが発生した際に、連続記録済みの映像データに上書きして映像データを断続記録するとよい。このようにすることで、映像データを移し替える作業等を行わない場合であっても映像データを連続記録及び断続記録させることができる。記録可能領域の容量としては、記録領域における連続記録に用いられる最小管理領域により定まる量とするとよく、例えばファイルシステムでフォーマットした記録媒体のデータ領域に映像データを記録する場合において、連続記録ファイルの映像データを記録するデータ領域のクラスタ数とするとよい。このようにすることで、記録領域に記録する映像データの管理の一環として連続記録のための記録可能領域の容量を把握することができる。記録可能領域の容量が無くなった場合としては、ファイルシステムにより管理される記録領域の最小管理領域毎に連続記録ファイルの映像データを記録する場合において、連続記録ファイルの映像データの記録に用いることが可能な最小管理領域が無くなった場合とするとよく、例えばファイルシステムを用いて管理されるデータ領域において、連続記録ファイルの映像データの記録に用いることが可能なクラスタが無くなった場合とするとよい。このようにすることで、連続記録ファイルの映像データを記録するための最小管理領域が無くなっているか否かを判断するだけの簡単な処理を行うために処理速度の速い電子機器を実現できる。また処理負荷が小さくて済むので、安価の処理装置で電子機器を構成できる。さらには、たとえば判定回路・削除回数等を減らせるため、映像の記録が途切れる可能性を小さくすることもできる。したがって、ユーザは、安価に機器を購入でき、途切れることのない映像を得ることが従来よりも確実にできる。
【００１８】
（４）前記記録制御手段は、ファイルシステムを用いて前記記録領域の最小管理領域毎に前記映像データを記録して、前記連続記録により連続記録ファイルを作成する一方、前記断続記録により断続記録ファイルを作成し、前記連続記録ファイルの前記映像データを記録した前記最小管理領域に基づいて前記記録可能領域の容量を算出することを特徴とする。
【００１９】
このようにすることで、連続記録ファイル及び断続記録ファイルを、ファイルシステムを用いて記録することができる。ファイルシステムとしては、ＦＡＴ(File Allocation Table)を用いるとよい。このようにすれば、連続記録ファイルと断続記録ファイルとを区別して管理することができ、パソコン等で記録されたファイルを容易に読み出して再生させることができる。連続記録ファイルは、ファイルシステムを用いて連続記録した映像データのファイルであり、例えばファイルシステムを用いて常時記録した映像データのファイルであり、他のファイルと識別可能なファイル名が付与される。断続記録ファイルは、
ファイルシステムを用いて映像データを所定時間に亘って断続記録したファイルであり、例えばファイルシステムを用いてイベント発生毎にイベント発生時刻を含む１分間に亘って映像データを断続記録したファイルであり、他のファイルと識別可能なファイル名が付与される。このようにすれば、ファイル名を見て連続記録ファイルと断続記録ファイルとを識別することが可能となり、容易に識別することができる。記録領域の最小管理領域としては、クラスタとするとよい。このようにすることで、記録領域に記録された映像データを、クラスタ毎に管理することができる。最小管理領域に基づいて記録可能領域の容量を算出する処理としては、連続記録ファイルを作成して記録する際に、連続記録ファイルの映像データを記録するために用いられる記録可能領域における最小管理領域より容量を算出するとよく、例えばファイルシステムでフォーマットされた記録媒体のデータ領域のクラスタ毎に映像データを記録する際に、連続記録ファイルを記録するために用いられるクラスタ数より記録可能領域の容量を算出するとよい。このようにすることで、連続記録ファイルを作成して記録する際における映像データの管理の一環として、連続記録に用いられる記録可能領域の容量を算出させることができる。
【００２０】
（５）前記消去を行う際に報知する報知手段を更に有することを特徴とする。
【００２１】
このようにすることで、断続記録された映像データが消去されることを知ることができる。報知としては、断続記録した映像データを消去することを画像や音声でお知らせするとよく、消去を行う際としては、消去を行う前でもよく、消去中でもよいが、特に前記消去を行うことまたは消去をおこなったことをユーザが認識可能な態様での報知をする構成とするとよい。このようにすることで、記録された映像データを移し替えないために断続記録された映像データが消去されることを、消去を行う前、消去中又は消去を行った後に画像や音声で知らせてもらうことができる。消去をおこなったことをユーザが認識可能な態様で報知する構成としては、例えば「古いイベントファイルを消しました」という表示をする構成とするとよい。このようにすることで、古いイベントファイルを消去することにより連続記録ファイルを記録するための容量が確保されたことを認識することができ、途切れることなく連続記録が行われるとの安心感を得ることができる。
【００２２】
（６）前記記録制御手段は、前記断続記録により前記記録領域に記録した前記映像データのうち古い前記映像データから順番に前記消去を行うことを特徴とする。
【００２３】
このようにすることで、記録しておく必要性の高い映像データを残しておくことができる。古い映像データとしては、ファイルシステムを用いて映像データをファイルとして管理する場合に、ファイル作成時刻が古い断続記録ファイルの映像データとするとよく、例えばファイルシステムを用いて映像データをファイルとして管理する場合に、メモリカードのファイル管理領域に記録されている時刻情報が示すファイル作成時刻の古い断続記録ファイルの映像データとするとよい。このようにすることで、ファイル作成時刻の古い断続記録ファイルから順にファイル単位で一括消去させることができる。
【００２４】
電子機器の機能はコンピュータに実現させるためのプログラムとして構成するとよい。
【発明の効果】
【００２５】
本発明によれば、映像データを移し替える作業等を行わなくても映像データを記録させて見ることができ、映像データを移し替える作業等を行う煩わしさを極力回避することができる。
【図面の簡単な説明】
【００２６】
【図１】本発明の第１の実施形態に係る電子機器の構成を示すブロック図である。
【図２】本発明の第１の実施形態における常時記録ファイルの映像データを記録した領域及びイベント記録ファイルの映像データを記録した領域のデータ領域における領域の使用容量状態の変化を模式的に示す図である。
【図３】本発明の第２の実施形態における常時記録ファイルの映像データを記録した領域及びイベント記録ファイルの映像データを記録した領域のデータ領域における領域の使用容量状態の変化を模式的に示す図である。
【発明を実施するための形態】
【００２７】
以下、図面を適宜参照して、本発明の実施形態につき、詳細に説明する。
【００２８】
（第１の実施形態）
＜ドライブレコーダの構成＞  本発明の第１の実施形態におけるドライブレコーダ１の構成について、図１を用いて説明する。図１は、本実施形態におけるドライブレコーダ１のブロック図を示している。
【００２９】
本発明に係る電子機器の一例であるドライブレコーダ１は、図１に示すように、ＧＰＳ受信機９と、マイクロ波受信機１０と、無線受信機１１と、入力部１２と、加速度センサー１３と、表示部１４と、ランプ１５と、スピーカ１６と、メモリカードリーダ１７と、カメラ１９と、データベース２０と、制御部２１と、を有している。
【００３０】
ＧＰＳ受信機９は、ＧＰＳ衛星から電波により送られるＧＰＳ信号を受信し、受信したＧＰＳ信号に基づいて現在位置（経度・緯度）を求める。ＧＰＳ受信機９は、求めた現在位置を現在位置情報として制御部２１に出力する。ＧＰＳ受信機９は、ＧＰＳ衛星から電波により送られる時刻情報を受信し、受信した時刻情報を制御部２１に出力する。
【００３１】
マイクロ波受信機１０は、外部の速度測定装置から出射される所定周波数のマイクロ波を受信する。マイクロ波受信機１０は、受信したマイクロ波の信号レベルを検出し、その検出結果を制御部２１に出力する。
【００３２】
無線受信機１１は、飛来する所定の周波数帯の電波の受信を検出した際に、その検出結果を制御部２１に出力する。
【００３３】
入力部１２は、スイッチである。入力部１２は、外部からの操作を検出して、その検出結果を制御部２１に出力する。
【００３４】
加速度センサー１３は、ドライブレコーダ１にかかる加速度、ひいてはドライブレコーダ１を搭載する車両にかかる加速度を検出し、その検出値を制御部２１に出力する。
【００３５】
表示部１４は、ドライブレコーダ１の図示しない本体の前面（車両後方（運転者側）に向く面）に備えられている。表示部１４は、液晶ディスプレイであり、制御部２１の制御により後述する表示を行う。
【００３６】
ランプ１５は、制御部２１の制御に従って点灯又は点滅することにより、警報又は報知を行う。
【００３７】
スピーカ１６は、制御部２１の制御に従って、音や音声により警報や報知を行う。
【００３８】
メモリカードリーダ１７は、ドライブレコーダ１の図示しない本体内のカード挿入口の内側に内蔵されており、リーダ、ライタ機能を有している。メモリカードリーダ１７には、カード挿入口からメモリカード１８が挿入されて着脱自在に装着される。メモリカードリーダ１７は、メモリカード１８が装着された際に、制御部２１の制御により、メモリカ
ード１８に記録されている映像データを読み込んで制御部２１に出力し、制御部２１から入力された映像データをメモリカード１８に記録させる。
【００３９】
メモリカード１８は、ＦＡＴ(File Allocation Table)３２形式でフォーマットされており、映像データを記録したファイルを記録する。メモリカード１８は、映像データを記録する領域であるデータ領域、及びその映像データをファイルとして管理するための領域であるファイル管理領域等を有している。メモリカード１８のデータ領域は、ＦＡＴ３２を用いて、所定の容量を有するクラスタ毎に管理される。ここで、クラスタは、ＦＡＴ３２を用いて管理する際の最小管理領域である。また、１つのクラスタの容量は、例えば１６ＫＢである。
【００４０】
カメラ１９は、ドライブレコーダ１を車室内のダッシュボード上に取り付けた際に、車両の前方を撮影可能な向きでドライブレコーダ１に設けられている。カメラ１９は、ＣＣＤ（charge coupled device）等の撮像素子及びレンズを備え、そのレンズから入射される車両の前方の映像を撮像素子により検知し、その映像を映像データとして制御部２１に出力する。
【００４１】
データベース２０は、制御部２１に外付けしたＥＥＰＲＯＭ（ElectricallyErasable Programmable Read-Only Memory）である。データベース２０には、出荷時に地図データが登録されている。データベース２０には、予め設定された注意を促す場所等の位置情報が記録されている。ここで、注意を促す場所とは、交差点や事故多発地帯等である。
【００４２】
制御部２１は、マイコンであり、コンピュータと、プログラムを格納するＥＥＰＲＯＭと、ＲＡＭ（RandomAccess Memory）と、インタフェース等、を有している。制御部２１は、車両に備えられている図示しないアクセサリスイッチがオンされることにより起動して、コンピュータがＥＥＰＲＯＭに格納されているプログラムを実行することにより、以下の動作を実現する。
【００４３】
制御部２１は、メモリカード１８の同一のデータ領域に、常時記録ファイル及びイベント記録ファイルの映像データを記録する。制御部２１は、同一のデータ領域を共用して常時記録ファイル及びイベント記録ファイルの映像データを記録する。ここで、データ領域の共用とは、ファイルシステムを用いて映像データを記録するデータ領域の各クラスタに、常時記録ファイルの映像データを記録することもできるし、イベント記録ファイルの映像データを記録することもできることを言う。
【００４４】
制御部２１は、カメラ１９から映像データを取得し、取得した映像データを例えば１分毎のファイルとしてメモリカード１８に記録する処理を行う。制御部２１は、１分分のファイルの記録が完了したらそのファイルをクローズし、次のファイルをオープンして記録を開始する。このようにして、制御部２１は、メモリカード１８のデータ領域に連続的に映像データを記録（以下、「常時記録」と記載する）する処理を行って、常時記録ファイルを作成する。制御部２１は、常時記録ファイルを示す例えば「ＮＯＲ」のアルファベットに、その常時記録ファイルを作成する日時を付加した常時記録ファイルのファイル名と、その常時記録ファイルを作成する時刻を示す時刻情報と、その常時記録ファイルの映像データを記録するデータ領域に関する情報と、をメモリカード１８のファイル管理領域に記録する処理を行う。ここで、データ領域に関する情報は、映像データを記録したデータ領域のクラスタ番号等である。
【００４５】
制御部２１は、加速度センサー１３から入力された加速度の検出値が閾値以上の場合、ＧＰＳ受信機９から入力された現在位置情報が示す現在位置と、データベース２０から読み出した注意を促す場所の位置情報が示す位置と、の距離が所定距離以下になった場合、
所定の周波数の電波を受信した検出結果が無線受信機１１から入力された場合、又は、所定の信号レベルのマイクロ波を受信した検出結果がマイクロ波受信機１０から入力された場合に、イベントが発生したものと判断する。
【００４６】
制御部２１は、イベントが発生したものと判断した際の映像データを記録した常時記録ファイルを、イベント発生毎にイベント発生時刻を含む１分分の映像データを断続的に記録するイベント記録ファイルに変更する処理を行う。具体的には、制御部２１は、イベント発生時の映像データを記録した常時記録ファイルのファイル名の「ＮＯＲ」のアルファベットを、イベント記録ファイルを示す例えば「ＥＶＴ」のアルファベットに変更してイベント記録ファイルとする。これにより、制御部２１は、イベントが発生する毎に映像データをメモリカード１８のデータ領域に断続的に記録する。なお、イベント記録ファイルの時刻情報及びデータ領域に関する情報は、ファイル名を変更する前の常時記録ファイルのものを使用する。
【００４７】
制御部２１は、データベース２０に記録されている注意を促す場所の位置情報の位置に接近した際に、ランプ１５を点滅若しくは点灯させて警報するか、又は、スピーカ１６により音声で警報する警報処理を行う。制御部２１は、通常カメラ１９から取得した映像を表示部１４に表示させる表示処理を行い、入力部１２に設けた再生スイッチの押下が検出された場合にはメモリカードリーダ１７を介してメモリカード１８から読み込んだ映像データを、表示部１４に表示させる表示処理を行う。
【００４８】
＜ドライブレコーダの動作＞
本発明の第１の実施形態におけるドライブレコーダ１の動作について、図２を用いて説明する。
【００４９】
本実施形態におけるドライブレコーダ１は、データ領域５０における常時記録ファイルの映像データの記録に用いられる記録可能領域の容量を常に一定量確保するように動作する。
【００５０】
図２は、本実施形態における常時記録ファイルの映像データを記録した領域及びイベント記録ファイルの映像データを記録した領域のデータ領域５０における領域の使用容量状態の変化を模式的に示す図である。図２において、図２（ａ）は、メモリカード１８を初期化した状態を示している。図２（ｂ）は、データ領域５０に常時記録ファイル及びイベント記録ファイルの映像データを記録し始めた状態を示している。図２（ｃ）は、データ領域５０に常時記録ファイル及びイベント記録ファイルの映像データを記録することによりデータ領域５０の容量が一杯になった状態を示している。図２（ｄ）は、データ領域５０の容量が一杯の状態において常時記録ファイルの映像データの記録に用いられる記録可能領域がイベント記録ファイルの映像データを記録した領域により浸食された状態を示している。図２（ｅ）は、常時記録ファイルの映像データの記録に用いられる記録可能領域の容量を確保した状態を示している。
【００５１】
メモリカード１８のデータ領域５０は、常時記録ファイルを例えば１２０個（２時間分）記録することが可能な容量を有している。データ領域５０は、常時記録ファイル及びイベント記録ファイルの映像データの記録先として共用される。ドライブレコーダ１の出荷時には、メモリカード１８は初期化されているために、図２（ａ）に示すように、データ領域５０の全領域が映像データが記録されていない空き領域Ａ１である。この際、常時記録ファイルの映像データの記録に用いられる記録可能領域Ｋ１は、データ領域５０の全領域である。
【００５２】
出荷されたドライブレコーダ１を車両に設置した後、制御部２１は、図示しない車両の
アクセサリスイッチがＯＮされ、更に上書きＯＮモードの操作の検出結果が入力部１２から入力された際において、以下の処理を行う。
【００５３】
制御部２１は、図２（ａ）に示す初期化された状態において、データ領域５０に映像データを常時記録して最初の１分の常時記録ファイルを作成する。また、制御部２１は、その常時記録ファイルのファイル名と、その常時記録ファイルを作成する時刻を示す時刻情報と、その常時記録ファイルの映像データを記録するデータ領域に関する情報と、をメモリカード１８のファイル管理領域に記録する処理を行う。これを１分ごとに繰り返していき、これにより、データ領域５０には、複数の常時記録ファイルの映像データが記録された領域Ｊ１が出来る。
【００５４】
また、制御部２１は、イベントが発生したものと判断した際に、イベント発生時の映像データを記録した常時記録ファイルを示すファイル名を、イベント記録ファイルを示すファイル名に変更する処理を行って、イベント記録ファイルとする。これにより、データ領域５０には、複数のイベント記録ファイルの映像データが記録された領域Ｅ１が出来る。
【００５５】
次に、データ領域５０には、上記の処理が繰り返されることにより、常時記録ファイル及びイベント記録ファイルの映像データが記録されていく。これにより、データ領域５０における領域Ｊ１及び領域Ｅ１は、図２（ｂ）に示すように、広がっていく。この際、データ領域５０における記録可能領域Ｋ１は、領域Ｊ１と空き領域Ａ１とからなる領域である。
【００５６】
次に、データ領域５０の容量は、上記の処理が更に繰り返されることにより一杯になる。ここで、データ領域５０の容量が一杯とは、データ領域５０に記録された映像データのファイルに上書きしないと、常時記録ファイル及びイベント記録ファイルの映像データをデータ領域５０に記録することができない状態を言う。図示すれば、この状態のデータ領域５０は、図２（ｃ）に示すように、領域Ｊ１と領域Ｅ１とで満たされた状態である。この際、データ領域５０における記録可能領域Ｋ１は、領域Ｊ１と一致する。
【００５７】
次に、制御部２１は、メモリカード１８のファイル管理領域に記録されているデータ領域に関する情報及び時刻情報を見て、常時記録ファイルのうち最も古い時刻に作成された常時記録ファイルの映像データに上書きして、新たに映像データを常時記録する処理を行って、常時記録ファイルを作成する。
【００５８】
また、制御部２１は、イベントが発生したものと判断した場合、イベント発生時の映像データを記録した常時記録ファイルをイベント記録ファイルに変更する。これらの処理を繰り返すことにより、データ領域５０では、図２（ｄ）に示すように、記録可能領域Ｋ１と一致する領域Ｊ１が領域Ｅ１により浸食されていく。
【００５９】
制御部２１は、上記の過程において、メモリカード１８のファイル管理領域に記録されているファイル名及びデータ領域に関する情報に基づいて、記録可能領域Ｋ１の容量を算出し、その算出結果より記録可能領域Ｋ１の容量が確保されているか否かを判断する。
【００６０】
具体的には、制御部２１は、メモリカード１８のファイル管理領域に記録されているファイル名及びデータ領域に関する情報を見て、空き領域Ａ１及び領域Ｊ１のクラスタ数の総数として例えば４３５，４４５を算出すると共に、次回に１つの常時記録ファイルを記録するために必要なクラスタ数として例えば８０００を算出する。そして、制御部２１は、空き領域Ａ１及び領域Ｊ１のクラスタ数の総数である４３５，４４５から、次回に１つの常時記録ファイルを記録するために必要なクラスタ数である８０００を減算して減算値として４２７，４４５を求め、この減算値である４２７，４４５に１つのクラスタのサイ
ズである例えば３２ＫＢを乗算して記録可能領域Ｋ１の容量を示す乗算値として１３，６７８，２４０ＫＢを求める。制御部２１は、この乗算値が例えば２つの常時記録ファイルを記録するために必要なクラスタのサイズである５１２，０００ＫＢ以下である場合に、記録可能領域Ｋ１の容量が確保されていないと判断する。なお、空き領域Ａ１が無い場合には、領域Ｊ１のクラスタ数の総数を用いて記録可能領域Ｋ１の容量を求める。
【００６１】
制御部２１は、記録可能領域Ｋ１の容量が確保されていないと判断した場合、メモリカード１８のファイル管理領域に記録されているファイル名及び時刻情報を見て、データ領域５０に記録されているイベント記録ファイルのうち、作成された時刻が古いものから順番に選択した例えば５つのイベント記録ファイルを消去する。これにより、データ領域５０には、図２（ｅ）に示すように、新たに常時記録ファイルの映像データを記録するための領域Ｊ２が確保される。この際、表示部１４は、制御部２１の制御により、「古いイベントファイルを消しました」等の文字を表示して報知を行う。そして上記の処理により、データ領域５０には、記録可能領域Ｋ１として領域Ｊ１及び領域Ｊ２が確保される。
【００６２】
次に、制御部２１は、領域Ｊ２に対して映像データを常時記録する処理を行って、常時記録ファイルを作成する。
【００６３】
また、制御部２１は、領域Ｊ２に対して映像データを順次常時記録している際においてイベントが発生したものと判断した際に、イベント発生時の映像データを記録した常時記録ファイルを示すファイル名を、イベント記録ファイルを示すファイル名に変更する処理を行って、イベント記録ファイルとする。これにより、領域Ｅ１が広がっていく。
【００６４】
そして、制御部２１は、記録可能領域Ｋ１の容量が確保されていないと再び判断した場合に、記録可能領域Ｋ１の容量を確保するために、上記と同様の処理を繰り返す。
【００６５】
なお、制御部２１は、図示しないアクセサリスイッチがＯＮされ、更に入力部１２から上書きＯＦＦモードの操作の検出結果が入力された場合において、図２（ｃ）に示す状態になった場合、データ領域５０に常時記録ファイル及びイベント記録ファイルの映像データを記録する処理を停止する。この際、表示部１４は、制御部２１の制御により、記録を停止する旨のＰＯＰＵＰメッセージを表示する。また、スピーカ１６は、制御部２１の制御により、記録を停止することを報知音で報知する。これにより、ドライブレコーダ１の使用者は、メモリカード１８のデータ領域５０に常時記録ファイル及びイベント記録ファイルの映像データを記録する処理が停止されることを認識することができる。
【００６６】
（第２の実施形態）
本発明の第２の実施形態に係る電子機器の一例であるドライブレコーダの構成は図１と同一構成であるので、その説明を省略する。
【００６７】
＜ドライブレコーダの動作＞
本実施形態におけるドライブレコーダ１の動作について、図３を用いて説明する。なお、図１の符号を用いて本実施形態におけるドライブレコーダの動作について説明する。
【００６８】
本実施形態におけるドライブレコーダ１は、データ領域６０における常時記録ファイルの映像データの記録に用いられる記録可能領域の容量が無くなった際に、その記録可能領域の容量を一定量確保するように動作する。
【００６９】
図３は、本実施形態における常時記録ファイルの映像データを記録した領域及びイベント記録ファイルの映像データを記録した領域のデータ領域における領域の使用容量状態の変化を模式的に示す図である。図３において、図３（ａ）は、メモリカード１８を初期化
した状態を示している。図３（ｂ）は、データ領域６０に常時記録ファイル及びイベント記録ファイルの映像データを記録し始めた状態を示している。図３（ｃ）は、データ領域６０に常時記録ファイル及びイベント記録ファイルの映像データを記録することによりデータ領域６０の容量が一杯になった状態を示している。図３（ｄ）は、データ領域６０がイベント記録ファイルの映像データを記録した領域で満たされた状態を示している。図３（ｅ）は、常時記録ファイルの映像データの記録に用いられる記録可能領域の容量を確保した状態を示している。
【００７０】
メモリカード１８は、データ領域６０に常時記録ファイルを例えば１２０個（２時間分）記録することが可能な記録容量を有している。データ領域６０は、常時記録ファイル及びイベント記録ファイルの映像データの記録先として共用される。ドライブレコーダ１の出荷時には、メモリカード１８は初期化されているために、図３（ａ）に示すように、データ領域６０の全領域が映像データが記録されていない空き領域Ａ１１である。この際、常時記録ファイルの映像データの記録に用いられる記録可能領域Ｋ１１は、データ領域６０の全領域である。
【００７１】
制御部２１は、図示しないアクセサリスイッチがＯＮされ、更に入力部１２から上書きＯＮモードの操作の検出結果が入力された際において、以下の処理を行う。
【００７２】
制御部２１は、図３（ｃ）までは上記第１の実施形態と同様の処理を行う。これにより、データ領域６０は、常時記録ファイルの映像データを記録した領域Ｊ１１と、イベント記録ファイルの映像データを記録した領域Ｅ１１と、で満たされる図３（ｃ）の状態になる。この際、記録可能領域Ｋ１１は、常時記録ファイルの映像データを記録している領域Ｊ１１と一致する。
【００７３】
次に、制御部２１は、メモリカード１８のファイル管理領域に記録されているデータ領域に関する情報及び時刻情報を見て、常時記録ファイルのうち最も古い時刻に作成された常時記録ファイルの映像データに上書きして、新たに映像データを常時記録する処理を行って、常時記録ファイルを作成する。また、制御部２１は、その常時記録ファイルのファイル名と、その常時記録ファイルを作成する時刻を示す時刻情報と、その常時記録ファイルの映像データを記録するデータ領域に関する情報と、をメモリカード１８のファイル管理領域に記録する処理を行う。
【００７４】
また、制御部２１は、イベントが発生したものと判断した場合、イベント発生時の映像データを記録した常時記録ファイルを示すファイル名を、イベント記録ファイルを示すファイル名に変更する処理を行って、イベント記録ファイルとする。また、制御部２１は、そのイベント記録ファイルのファイル名と、そのイベント記録ファイルを作成する時刻を示す時刻情報と、そのイベント記録ファイルの映像データを記録するデータ領域に関する情報と、をメモリカード１８のファイル管理領域に記録する処理を行う。この処理を繰り返すことにより、データ領域６０は、記録可能領域Ｋ１１と一致する領域Ｊ１１がイベント記録ファイルの映像データを記録した領域Ｅ１１により徐々に浸食されていき、遂には領域Ｅ１１で満たされる図３（ｄ）の状態になる。
【００７５】
制御部２１は、上記の過程において、メモリカード１８のファイル管理領域に記録されているファイル名及びデータ領域に関する情報に基づいて、記録可能領域Ｋ１１の容量を算出し、その算出結果より記録可能領域Ｋ１１の容量が無くなったか否かを判断する。
【００７６】
具体的には、制御部２１は、メモリカード１８のファイル管理領域に記録されているファイル名及びデータ領域に関する情報を見て、記録可能領域Ｋ１１の容量を示す領域Ｊ１１のクラスタ数を算出する。制御部２１は、この算出値が「０」である場合に、記録可能
領域Ｋ１１の容量が無くなったと判断する。
【００７７】
制御部２１は、記録可能領域Ｋ１１の容量が無くなったと判断した場合、メモリカード１８のファイル管理領域に記録されているファイル名及び時刻情報を見て、データ領域６０に記録されているイベント記録ファイルのうち、作成された時刻が古いものから順番に選択した所定数のイベント記録ファイルを消去する。これにより、データ領域６０には、図３（ｅ）に示すように、新たに常時記録ファイルの映像データを記録するための領域Ｊ１２が確保される。この際、表示部１４は、制御部２１の制御により、「古いイベントファイルを消しました」等の文字を表示して報知を行う。そして上記の処理により、データ領域６０には、記録可能領域Ｋ１１として領域Ｊ１２が確保される。
【００７８】
領域Ｊ１２は、データ領域６０において常時記録ファイルの映像データを記録する領域がなくなるタイミングがあまり早く来ないように設定することが好ましく、例えば１０個のイベント記録ファイルを消去して確保した領域とする。
【００７９】
そして、制御部２１は、記録可能領域Ｋ１１の容量が無くなったと再び判断した場合に、記録可能領域Ｋ１１の容量を確保するために、上記と同様の処理を繰り返す。
【００８０】
なお、制御部２１は、図示しないアクセサリスイッチがＯＮされ、更に入力部１２から上書きＯＦＦモードの操作の検出結果が入力された場合において、図３（ｃ）に示す状態になった場合、データ領域６０に常時記録ファイル及びイベント記録ファイルの映像データを記録する処理を停止する。この際、表示部１４は、制御部２１の制御により、記録を停止する旨のＰＯＰＵＰメッセージを表示する。また、スピーカ１６は、制御部２１の制御により、記録を停止することを報知音で報知する。これにより、ドライブレコーダ１の使用者は、メモリカード１８のデータ領域６０に常時記録ファイル及びイベント記録ファイルの映像データを記録する処理が停止されることを認識することができる。
【００８１】
本実施形態によれば、記録可能領域Ｋ１１の容量を所定量確保するか否かを判断する場合には、常時記録ファイルの映像データを記録している領域Ｊ１１のクラスタ数を算出し、その算出値が「０」であるか否かを判断するだけであるので、処理を簡単にすることができ、ドライブレコーダ１の利用者は処理速度の速いドライブレコーダ１を使用することができる。
【００８２】
＜その他の実施形態＞
第１の実施形態のドライブレコーダ１が有する機能と、第２の実施形態のドライブレコーダ１が有する機能と、をドライブレコーダ１に設けたスイッチにより切り替えるようにしてもよい。
【００８３】
なお、上記第１の実施形態及び第２の実施形態において、記録可能領域Ｋ１の容量が確保されていない場合又は記録可能領域Ｋ１１無くなった場合に、所定数のイベント記録ファイルを消去したが、過去の所定時間においてイベント記録ファイルを記録した頻度に応じた数のイベント記録ファイルを消去してもよい。この場合、制御部２１は、所定時間におけるイベント記録ファイルの映像データを記録した時間の割り合いと、消去するファイル数と、を対応付けたテーブルを、制御部２１のＥＥＰＲＯＭに予め記憶しておく。制御部２１は、制御部２１のリアルタイム・クロック機能又はＧＰＳ受信機９から入力された時刻情報を用いて、所定時間、及び、イベント記録ファイルの映像データを記録した時間を計測し、その計測結果より上記の割り合いを算出する。そして、制御部２１は、上記テーブルにおいて、算出した上記の割り合いに対応付けられている消去するファイル数だけイベント記録ファイルを消去する。これにより、イベント記録ファイルの記録時間に応じた数のイベント記録ファイルを消去することができるので、イベント記録ファイルを消去
する処理を頻繁に発生させないようにすることができる。
【００８４】
また、上記第１の実施形態及び第２の実施形態において、カメラ１９は、ドライブレコーダ１を車室内のダッシュボード上に取り付けた際に、車両の前方を撮影可能な向きでドライブレコーダ１に設けられたが、車両の後方を撮影可能な向きでドライブレコーダ１に設けられてもよい。また、カメラ１９は、車両の側方を撮影可能な向きでドライブレコーダ１に設けられてもよい。更に、カメラ１９は、車室内を撮影可能な向きでドライブレコーダ１に設けられてもよい。
【００８５】
また、上記第１の実施形態及び第２の実施形態において、ファイルシステムとしてＦＡＴを用いたが、ＦＡＴ以外のＮＴＦＳ（NTFile System）等のファイルシステムを用いてもよい。
【００８６】
また、上記第１の実施形態及び第２の実施形態において、ナビゲーション装置及びレーダ探知機の機能を有するドライブレコーダ１により常時記録ファイル及びイベント記録ファイルの映像データを記録したが、ナビゲーション機能及びレーダ探知機の機能を有さないドライブレコーダの機能のみを有するドライブレコーダ、ナビゲーション装置の機能を有するドライブレコーダ、又はレーダ探知機の機能を有するドライブレコーダ等により常時記録ファイル及びイベント記録ファイルの映像データを記録してもよい。
【００８７】
また、上記第１の実施形態及び第２の実施形態において、車両の現在位置と注意を促す場所との距離が所定距離以下になった場合にイベント記録ファイルを作成したが、車両の現在位置と予め設定してデータベース２０に記憶させておいた眺めの良いビューポイントとの距離が所定距離以下になった場合にイベント記録ファイルを作成してもよい。
【００８８】
また、上記第１の実施形態及び第２の実施形態において、記録可能領域を確保する際に、記録済みのイベント記録ファイルの一部を消去したが、記録済みのイベント記録ファイルの全部を消去してもよい。
【符号の説明】
【００８９】
１  ドライブレコーダ
９  ＧＰＳ受信機
１０  マイクロ波受信機
１１  無線受信機
１２  入力部
１３  加速度センサー
１４  表示部
１５  ランプ
１６  スピーカ
１７  メモリカードリーダ
１８  メモリカード
１９  カメラ
２０  データベース
２１  制御部
５０  データ領域
６０  データ領域
【図１】
2020053995.tif 000003
【図２】
2020053995.tif 000004
【図３】
2020053995.tif 000005